(57)【特許請求の範囲】
【請求項１】
基板の左右側部及び上下端部に引掛部と被引掛部とが対設され、且つ上端部の隅部に少なくとも１つの取付片が設けられた板金製短尺屋根材で葺かれた屋根パネルが、建物の屋根部に隣接・配設されると共に、この隣接する屋根パネル端縁部では、対向して配設される前記短尺屋根材間を、連結短尺屋根材と、この連結短尺屋根材を野地板に固定する吊り子と、隣接する屋根パネル端縁部における短尺屋根材の下端部浮き上がり防止用の係止具と、によって連結してなる屋根パネルの取付け構造であって、
係止具が、野地板に当接して取り付けられる取付け片と、この取付け片の一側面から下方に隙間を設けて垂設される係止片とからなり、係止片の下端が取付け片の下端より上方に位置してなり、係止片の下端部が短尺屋根材の下端部の被引掛部に挿入され、連結短尺屋根材の上端部が係止片と取付け片との間に挿入されて取り付けられていることを特徴とする屋根パネルの取付け構造。
【請求項２】
取付け片の側縁下部に、側縁上部より突出した突出片が設けられていることを特徴とする請求項１記載の屋根パネルの取付け構造。
【発明の詳細な説明】
【０００１】
【発明の属する技術分野】
本発明は、板金製短尺屋根材で葺かれた屋根パネルの取付け構造に関する。
【０００２】
【従来の技術】
一般に、板金製屋根材は長尺に形成され建築現場での施工能率を向上させるようにしてある。又、板金製長尺屋根材の施工方法としては、通常屋根のフレームに取り付けた吊り子と称する取付金具を介して固定するか又は嵌合方式で固定している。
例えば、実開昭５６−１９３０号は、パネルの各辺部を折り返し、それぞれの引掛部と縁曲部を形成させ、各相互の屋根パネルを係合接続させる構造となっており施工が優れている。しかし、板金製長尺屋根材は、体育館、工場、倉庫等の大型建物の屋根材としては好適であるが、一般の住宅や小規模集合住宅等の小型建物の屋根材としては不向きなことがあり、デザイン的にも合わない場合がある。そこで、一般住宅等の小型建物に適した板金製短尺屋根材を、特願平８−２９５１９６号に提案した。
【０００３】
上記板金性短尺屋根材は、基板の左右側部及び上下端部に引掛部と被引掛部とが対設され、且つ上端部の隅部に少なくとも１つの取付片が設けられたものであって、この板金製短尺屋根材で葺いた屋根パネルを工場等で製造しておき、この屋根パネルを建築現場に輸送し、建物の屋根部に隣接・配設して屋根パネルを施工している。
そして、この隣接する屋根パネル端縁部では、対向して配設される前記短尺屋根材間を、連結短尺屋根材と、この連結短尺屋根材を野地板に固定する吊り子と、隣接する屋根パネル端縁部における短尺屋根材の下端部浮き上がり防止用の係止具と、によって連結している。
【０００４】
上記係止具は、野地板に当接して取り付けられる取り付け片と、この取り付け片の一側面から下方に隙間を設けて垂設される係止片とからなり、係止片の下端が取り付け片の下端より下方に位置してなり、係止片の下端部が短尺屋根材の下端部の被引掛部に挿入され、連結短尺屋根材の上端部が係止片と取り付け片との間に挿入されて取り付けられている。
【０００５】
また、屋根構造が寄棟屋根の場合、この建物の屋根部に隣接・配設される屋根パネルの隅棟部では、短尺屋根材にコーナー屋根材が取り付けられ、このコーナー屋根材間をコーナー屋根材に差し込まれた差し棟包みによって連結して形成されている。
【０００６】
【発明が解決しようとする課題】
しかしながら、上記板金製短尺屋根材で葺かれた屋根パネルを建築現場で施工する場合、以下の問題がある。
まず、隣接する屋根パネル端縁部では、予め屋根パネルに取り付けられた係止具の取り付け片の下に連結短尺屋根材がもぐり込み、納まり不良が生じるという問題と、予め取り付けられた係止具が短尺屋根材の下に隠れ、外から確認できないので、取り付け忘れをしている場合がある。
また、予め取り付けられた屋根パネルの短尺屋根材と、野地板に貼り付けられたルーフィングが熱により融着することがあり、建築施工現場で連結短尺屋根材を差し込みにくいという問題がある。
【０００７】
また、屋根パネルの隅棟部では、コーナー屋根材が、板金製短尺屋根材の角部を隅棟の角度に合わせて、斜めに切断したものであるから、引掛部に鋭角で尖った端部が形成され、これにより指などを傷付けるという問題と、短尺屋根材から一つのコーナー屋根材しか取り出せないので、ロスが多いという問題がある（図９（イ）、（ロ）図参照）。
【０００８】
本発明は、このような従来の問題を解決するためになされたものであって、屋根パネルの取り付け構造において、隣接する屋根パネル端縁部では、連結短尺屋根材の納まり不良を解消すると同時に、取り付け忘れを外から確認できる屋根パネルの取り付け構造を提供すること、さらには、建築施工現場で連結短尺屋根材を差し込み易い屋根パネルの取り付け構造を提供することを第１目的とする。
【００１０】
【課題を解決するための手段】
請求項１記載の本発明は、基板の左右側部及び上下端部に引掛部と被引掛部とが対設され、且つ上端部の隅部に少なくとも１つの取付片が設けられた板金製短尺屋根材で葺かれた屋根パネルが、建物の屋根部に隣接・配設されると共に、この隣接する屋根パネル端縁部では、対向して配設される前記短尺屋根材間を、連結短尺屋根材と、この連結短尺屋根材を野地板に固定する吊り子と、隣接する屋根パネル端縁部における短尺屋根材の下端部浮き上がり防止用の係止具と、によって連結してなる屋根パネルの取付け構造であって、
係止具が、野地板に当接して取り付けられる取付け片と、この取付け片の一側面から下方に隙間を設けて垂設される係止片とからなり、係止片の下端が取付け片の下端より上方に位置してなり、係止片の下端部が短尺屋根材の下端部の被引掛部に挿入され、連結短尺屋根材の上端部が係止片と取付け片との間に挿入されて取り付けられているものである。
【００１１】
請求項２記載の本発明発明は、請求項１記載の屋根パネルの取付け構造において、取付け片の側縁下部に、側縁上部より突出した突出片が設けられているものである。
【００１３】
（作用）
請求項１記載の発明は、係止具が、野地板に当接して取り付けられる取付け片と、この取付け片の一側面から下方に隙間を設けて垂設される係止片とからなっている。
そして、係止片の下端が取付け片の下端より上方に位置してなるものであるから、取付け片の下に連結短尺屋根材がもぐり込み、納まり不良が生じるという問題と、予め取り付けられた係止具が短尺屋根材の下に隠れ、外から確認できないという問題を解消できる。
【００１４】
請求項２記載の発明は、請求項１記載の屋根パネルの取付け構造において、取付け片の側縁下部に、側縁上部より突出した突出片が設けられているものであるから、短尺屋根材と、野地板に貼り付けられたルーフィングが熱により融着し、建築施工現場で連結短尺屋根材を差し込みにくいという問題を解決できる。
【００１６】
【発明の実施の形態】
以下、本発明の実施の形態を添付図面に基づいて説明する。
図１〜図６は第１の実施の形態を示すもので、図１（イ）図は屋根パネルの取付け構造を示す説明図、（ロ）図は（イ）図のＡ−Ａ線における断面図である。図２は金属製短尺屋根材の平面図、図３はユニット建物の屋根の平面図、図４（イ）図は係止具の正面図、（ロ）図は側面図である。図５は係止具の取付け方法を示す説明図、図６は連結短尺屋根材の取付け方法を示す説明図である。
【００１７】
図において、１は金属板から成形された短尺屋根材であって、図２に示すように、基板１１の左側部に下面側への折曲片からなる引掛部１２が設けられ、右側部には上面側への折曲片からなる被引掛部１３が対設され、下端部には下面側への折曲片からなる引掛部１５が設けられ、上端部には上面側への折曲片からなる被引掛部１４が対設されている。更に、上端部の右隅部には取付片１６が設けられている。
【００１８】
本実施例の屋根パネル２、３は、上記短尺屋根材１で葺かれたものであって、図３に示すユニット建物の屋根部に隣接・配設されている。
この屋根パネル２、３の隣接する端縁部（他の隣接部も同様になされているが、説明を省略する）では、図１（イ）図に示すように、対向して配設される前記短尺屋根材１、１間を、連結短尺屋根材４と、この連結短尺屋根材４を野地板７に固定する吊り子５と、屋根パネル２または３の隣接する端縁部における短尺屋根材１の下端部浮き上がり防止用の係止具６と、によって連結している。
【００１９】
上記係止具６は、図４に示すように、野地板７（アスファルトルーフィング７１が貼り付けられている）に当接して取り付けられる取付け片６１と、この取付け片６１の一側面から下方に隙間を設けて垂設された係止片６２とからなっている。取付け片の上部には、ビス等の挿入孔６４が設けられ、係止片６２の先端は内側に折り曲げられている。
【００２０】
上記係止片６２の下端は、取付け片６１の下端より上方に位置していて、図１（ロ）図に示すように、係止片６２の下端部が短尺屋根材１の下端部の被引掛部１５に挿入されている。これによって、短尺屋根材１の下端部の浮き上がりを防止している。
また、連結短尺屋根材４の上端部は、係止片６２と取付け片６１との間に挿入されて取り付けられている。
【００２１】
さらにまた、図４（イ）図に示すように、取付け片６１の右側縁下部に、右側縁上部より突出した突出片６３が設けられている。
【００２２】
このように構成された屋根パネル２、３等の取付け施工方法について説明する。
まず、屋根パネル２、３は、いずれも、工場で製造されたものであって、この屋根パネル２、３の左端縁に沿って、ルーフィング７１で被覆された野地板７の上に、係止具６、６を、短尺屋根材１、１の３列、５列、・・の下端位置に合わせて取り付ける（図５参照）。なお、１列目の短尺屋根材１の下端部には、軒先スターター８を取り付けておく。
【００２３】
つぎに、屋根パネル２、３の野地板７を短尺屋根材１で葺くが、その際、短尺屋根材１を一枚づつ連結しながら取り付けてもよいが、予め３連結、４連結したものを取り付けていくのがよい。屋根パネル２、３の１列目では、４連結された短尺屋根材１の引掛部１５を軒先スターター８に引っ掛け、取付片１６を釘止めする。
２列目では、３連結された短尺屋根材１の引掛部１５を先に取り付けた１列目の短尺屋根材１の被引掛部１４に引っ掛け、同様に、取付片１６を釘止めする。
【００２４】
屋根パネル２、３の３列目では、４連結された短尺屋根材１の引掛部１５を、先に取り付けた係止具６の係止片６２に引っ掛けると共に、２列目の短尺屋根材１の被引掛部１４に引っ掛け、同様に、取付片１６を釘止めする。
以下、４列目以降は、上記と同様にして、取り付けていく。
【００２５】
つぎに、上記の短尺屋根材１で葺かれた屋根パネル２、３を、工場からユニット建物の建築施工現場に輸送し、ユニット建物の屋根部に現地で隣接配置して取り付け、この屋根パネル２、３の隣接する端縁部に、図６に示すようにして、連結短尺屋根材４を取り付ける。その取り付け方法は、連結短尺屋根材４の上端を係止具６の係止片６２と取付け片６１の間に挿入して時計回りの方向に回転しながら取り付け、この連結短尺屋根材６の上端縁部に設けられた被引掛部に吊り子５を引っ掛け、この吊り子を釘止めする。
【００２６】
上述したように、本実施例の屋根パネル２、３の取付け構造は、係止具６が、野地板７に当接して取り付けられる取付け片６１と、この取付け片６１の一側面から下方に隙間を設けて垂設される係止片６２とからなっている。
そして、係止片６２の下端が取付け片６１の下端より上方に位置してなるものであるから、取付け片６１の下に連結短尺屋根材４がもぐり込み、納まり不良が生じるという問題と、予め取り付けられた係止具６が短尺屋根材１の下に隠れ、外から確認できないという問題を解消できる。
【００２７】
また、本実施例の屋根パネル２、３の取付け構造において、取付け片６１の側縁下部に、側縁上部より突出した突出片６３が設けられているものであるから、短尺屋根材１と、野地板７に貼り付けられたルーフィング７１が熱により融着し、建築施工現場で連結短尺屋根材４を差し込みにくいという問題を解決できる。
【００２８】
つぎに、図７と図８は、本発明の別の実施の形態を示すもので、図７は屋根パネルの取付け構造を示す説明図、図８はユニット建物の屋根部の平面図である。図において、Ｙはユニット建物の屋根であって、この屋根Ｙは、図８に示すように、寄せ棟屋根構造になされているものであり、紙面上で見て、中央屋根部Ｙ１は多数の屋根パネルが予め取り付けられた屋根ユニットになされ、上部屋根部Ｙ２と下部屋根部Ｙ３は、いずれも多数の屋根パネルが隣接配置されて形成されている。
中央屋根部Ｙ１の符号Ａ−１，Ａ−Ｒ１，Ａ−Ｌ１，・・等と、上部屋根部Ｙ２と下部屋根部Ｙ３の符号Ｂ−Ｒ，Ｂ−Ｌ，Ｃ−Ｒ，Ｃ−Ｌ，等は、いずれも屋根パネルの符号である。
【００２９】
本実施例の屋根パネルの取付け構造は、前記実施例に示した板金製短尺屋根材１で葺かれた屋根パネルＡ−１，Ａ−Ｒ２，・・が、寄棟屋根構造になされた建物の屋根Ｙ部に隣接・配設されると共に、この屋根Ｙ部の隅棟部では、前記短尺屋根材１にコーナー屋根材１Ｒ、１Ｌが取り付けられ、このコーナー屋根材１Ｒ、１Ｌ間をコーナー屋根材１Ｒ、１Ｌに差し込まれた差し棟包み１Ｓによって連結してなるものである。
上記コーナー屋根材１Ｒ、１Ｌは、板金製短尺屋根材１をその長手方向と直角方向に切断した切断片で形成されているものであって、コーナー屋根材１Ｒは、短尺屋根材１の右端に取り付けられ、コーナー屋根材１Ｌは、短尺屋根材１の左端に取り付けられている。
【００３０】
上記構成になされた隅棟部における屋根パネルＡ−１と屋根パネルＡ−Ｒ２の取付け方法は、図７に示すように、連結されて取り付けられた隅棟部の短尺屋根材１に、コーナー屋根材１Ｒ、１Ｌを取り付け、このコーナー屋根材１Ｒ、１Ｌ間に差し棟包み１Ｓを差し込み、この差し棟包み１Ｓの上部に設けられた取り付け片を釘止めする。
【００３１】
上述のように、本実施例では、コーナー屋根材１Ｒ、１Ｌが、板金製短尺屋根材１をその長手方向と直角方向に切断した切断片で形成されているので、コーナー屋根材１Ｒ、１Ｌに尖った端部がなく、安全に取り扱うことができる。
また、一つの短尺屋根材１から、右用、左用の二つのコーナー屋根材１Ｒ、１Ｌを取り出すことができ、ロスが少ない。
【００３２】
【発明の効果】
請求項１記載の発明は、係止具が、野地板に当接して取り付けられる取付け片と、この取付け片の一側面から下方に隙間を設けて垂設される係止片とからなっている。
そして、係止片の下端が取付け片の下端より上方に位置してなるものであるから、取付け片の下に連結短尺屋根材がもぐり込み、納まり不良が生じるという問題と、予め取り付けられた係止具が短尺屋根材の下に隠れ、外から確認できないという問題を解決でき、施工性のすぐれた屋根パネルの取付け構造となる。
【００３３】
請求項２記載の発明は、請求項１記載の屋根パネルの取付け構造において、取付け片の側縁下部に、側縁上部より突出した突出片が設けられているものであるから、短尺屋根材と、野地板に貼り付けられたルーフィングが熱により融着し、建築施工現場で連結短尺屋根材を差し込みにくいという問題を解決できる。
【図面の簡単な説明】
【図１】  本発明の第１の実施の形態を示すもので、（イ）図は屋根パネルの取付け構造を示す説明図、（ロ）図は（イ）図のＡ−Ａ線における断面図である。
【図２】  金属製短尺屋根材の平面図である。
【図３】  ユニット建物の屋根の平面図である。
【図４】  （イ）図は係止具の正面図、（ロ）図は側面図である。
【図５】  係止具の取付け方法を示す説明図である。
【図６】  連結短尺屋根材の取付け方法を示す説明図である。
【図７】  本発明の第２の実施の形態を示すもので、屋根パネルの取付け構造を示す説明図である。
【図８】  ユニット建物の屋根部の平面図である。
【図９】  （イ）図は従来のコーナー屋根材の平面図、（ロ）図は（イ）図の要部を斜視した斜視図である。
【符号の説明】
１  短尺屋根材
１１  基板    １２  引掛部    １３  被引掛部    １４  被引掛部
１５  引掛部  １６  取付片
２、３  屋根パネル
４  連結短尺屋根材
５  吊り子
６  係止具
６１  取付け片    ６２  係止片    ６３  突出片
７  野地板
１Ｒ、１Ｌ  コーナー屋根材
１Ｓ  差し棟包み
【図１】
0003831501.tif 000002
【図２】
0003831501.tif 000003
【図３】
0003831501.tif 000004
【図４】
0003831501.tif 000005
【図５】
0003831501.tif 000006
【図６】
0003831501.tif 000007
【図７】
0003831501.tif 000008
【図８】
0003831501.tif 000009
【図９】
0003831501.tif 000010